【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
複数の交流信号に基づいて変調された光信号を出力する光変調器であって、
電気光学結晶上に形成され、第１及び第２の光導波路を含むマッハツェンダー型光干渉系と、
前記マッハツェンダー型光干渉系の前記第１の光導波路に、第１の交流信号に基づいた第１の電気信号を印加する第１の電極と、
前記マッハツェンダー型光干渉系の前記第２の光導波路に、前記第１の交流信号と周波数が異なる第２の交流信号に基づいた第２の電気信号を印加する第２の電極と、
前記第１の交流信号の最大周波数と前記第２の交流信号の最大周波数との大小関係を示す信号周波数情報に基づいて、前記第１及び第２の電気信号の平均直流レベルをそれぞれ設定するバイアス設定部とを備える、光変調器。
【請求項２】
複数の交流信号に基づいて変調された光信号を出力する光変調器であって、
電気光学結晶上に形成され、第１及び第２の光導波路を含むマッハツェンダー型光干渉系と、
前記マッハツェンダー型光干渉系の前記第１の光導波路に、第１の交流信号に基づいた第１の電気信号を印加する第１の電極と、
前記マッハツェンダー型光干渉系の前記第２の光導波路に、前記第１の交流信号と周波数が異なる第２の交流信号に基づいた第２の電気信号を印加する第２の電極と、
前記第１の光導波路に直流電圧を印加する第１の直流電極と、
前記第２の光導波路に直流電圧を印加する第２の直流電極と、
前記第１の交流信号の最大周波数と前記第２の交流信号の最大周波数との大小関係を示す信号周波数情報に基づいて、前記第１及び第２の直流電極に与える電位差を設定するバイアス設定部とを備える、光変調器。
【請求項３】
前記バイアス設定部は、
前記第１の電気信号の最大周波数が前記第２の電気信号の最大周波数よりも大きい場合は、前記第１の光導波路で変調された光信号の位相が前記第２の光導波路で変調された光信号の位相に比べて進むように、前記平均レベルを設定し、
前記第１の電気信号の最大周波数が前記第２の電気信号の最大周波数よりも小さい場合は、前記第１の光導波路で変調された光信号の位相が前記第２の光導波路で変調された光信号の位相に比べて遅れるように、前記平均レベルを設定し、
前記マッハツェンダー型光干渉系は、伝送路全体が正の分散特性を有する伝送路で伝送される光信号を出力する、請求項１に記載の光変調器。
【請求項４】
前記バイアス設定部は、
前記第１の電気信号の最大周波数が前記第２の電気信号の最大周波数よりも大きい場合は、前記第１の光導波路で変調された光信号の位相が前記第２の光導波路で変調された光信号の位相に比べて遅れるように、前記平均レベルを設定し、
前記第１の電気信号の最大周波数が前記第２の電気信号の最大周波数よりも小さい場合は、前記第１の光導波路で変調された光信号の位相が前記第２の光導波路で変調された光信号の位相に比べて進むように、前記平均レベルを設定し、
前記マッハツェンダー型光干渉系は、伝送路全体が負の分散特性を有する伝送路で伝送される光信号を出力する、請求項１に記載の光変調器。
【請求項５】
前記第１の光導波路で変調された光信号の位相をθ１、前記第２の光導波路で変調された光信号の位相をθ２、及びｎを整数とすると、前記バイアス設定部は、前記第１の電気信号の最大周波数が前記第２の電気信号の最大周波数よりも大きい場合は式［１］を満足するように、前記第１の電気信号の最大周波数が前記第２の電気信号の最大周波数よりも小さい場合は式［２］を満足するように、前記平均レベルを設定する、請求項３に記載の光変調器。
２ｎπ＜θ１−θ２＜（２ｎ＋１）π    ［１］
（２ｎ−１）π＜θ１−θ２＜２ｎπ    ［２］
【請求項６】
前記第１の光導波路で変調された光信号の位相をθ１、前記第２の光導波路で変調された光信号の位相をθ２、及びｎを整数とすると、前記バイアス設定部は、前記第１の電気信号の最大周波数が前記第２の電気信号の最大周波数よりも大きい場合は式［２］を満足するように、前記第１の電気信号の最大周波数が前記第２の電気信号の最大周波数よりも小さい場合は式［１］を満足するように、前記平均レベルを設定する、請求項４に記載の光変調器。
２ｎπ＜θ１−θ２＜（２ｎ＋１）π    ［１］
（２ｎ−１）π＜θ１−θ２＜２ｎπ    ［２］
【請求項７】
前記第１及び第２の交流信号の周波数をそれぞれ検出し、当該検出した周波数の値を前記信号周波数情報として前記バイアス設定部に出力する周波数検出部をさらに備える、請求項１に記載の光変調器。
【請求項８】
複数の交流信号に基づいて変調された光信号を出力する光変調器であって、
電気光学結晶上に形成され、第１及び第２の光導波路を含むマッハツェンダー型光干渉系と、
第１の交流信号及び当該第１の交流信号と周波数が異なる第２の交流信号を入力し、出力先を切り替えて当該第１及び第２の交流信号を出力する信号切り替え部と、
前記マッハツェンダー型光干渉系の前記第１の光導波路に、前記第１及び第２の交流信号の一方に基づいて、第１の電気信号を印加する第１の電極と、
前記マッハツェンダー型光干渉系の前記第２の光導波路に、前記第１及び第２の交流信号の他方に基づいて、第２の電気信号を印加する第２の電極とを備える、光変調器。
【請求項９】
前記信号切り替え部は、前記第１の交流信号の最大周波数と前記第２の交流信号の最大周波数との大小関係を示す信号周波数情報に基づいて、前記第１及び第２の交流信号の出力先を切り替える、請求項８に記載の光変調器。
【請求項１０】
前記第１及び第２の交流信号の周波数をそれぞれ検出し、当該検出した周波数の値を前記信号周波数情報として前記信号切り替え部に出力する周波数検出部をさらに備える、請求項９に記載の光変調器。
【請求項１１】
複数の交流信号に基づいて変調された光信号を出力する光変調器であって、
第１の交流信号と当該第１の交流信号と周波数が異なる第２の交流信号とを、第１の交流信号の最大周波数と第２の交流信号の最大周波数との大小関係を示す信号周波数情報に基づいて決定される比率で合成した第１の合成信号、及び当該比率の逆で合成した第２の合成信号を、それぞれ生成する信号合成部と、
電気光学結晶上に形成され、第１及び第２の光導波路を含むマッハツェンダー型光干渉系と、
前記マッハツェンダー型光干渉系の前記第１の光導波路に、前記第１の合成信号に基づいて、第１の電気信号を印加する第１の電極と、
前記マッハツェンダー型光干渉系の前記第２の光導波路に、前記第２の合成信号に基づいて、第２の電気信号を印加する第２の電極とを備える、光変調器。
【請求項１２】
前記第１及び第２の交流信号の周波数をそれぞれ検出し、当該検出した周波数の値を前記信号周波数情報として前記信号合成部に出力する周波数検出部をさらに備える、請求項１１に記載の光変調器。
【請求項１３】
複数の交流信号に基づいて変調された光信号を出力する光変調方法であって、
電気光学結晶上に形成され、第１及び第２の光導波路を含むマッハツェンダー型光干渉系に対して、
前記マッハツェンダー型光干渉系の前記第１の光導波路の第１の電極に、第１の交流信号に基づいた第１の電気信号を印加し、
前記マッハツェンダー型光干渉系の前記第２の光導波路の第２の電極に、前記第１の交流信号と周波数が異なる第２の交流信号に基づいた第２の電気信号を印加し、
前記第１の交流信号の最大周波数と前記第２の交流信号の最大周波数との大小関係を示す信号周波数情報に基づいて、前記第１及び第２の電気信号の平均直流レベルをそれぞれ設定する、光変調方法。
【請求項１４】
複数の交流信号に基づいて変調された光信号を出力する光変調方法であって、
電気光学結晶上に形成され、第１及び第２の光導波路を含むマッハツェンダー型光干渉系に対して、
前記マッハツェンダー型光干渉系の前記第１の光導波路の第１の電極に、第１の交流信号に基づいた第１の電気信号を印加し、
前記マッハツェンダー型光干渉系の前記第２の光導波路の第２の電極に、前記第１の交流信号と周波数が異なる第２の交流信号に基づいた第２の電気信号を印加し、
前記マッハツェンダー型光干渉系の前記第１の光導波路の第１の直流電極に、直流電圧を印加し、
前記マッハツェンダー型光干渉系の前記第２の光導波路の第２の直流電極に、直流電圧を印加し、
前記第１の交流信号の最大周波数と前記第２の交流信号の最大周波数との大小関係を示す信号周波数情報に基づいて、前記第１及び第２の直流電極に与える電位差を設定する、光変調方法。